(57)【要約】      （修正有）【課題】電子機器の組立、保守の為のユニット着脱を電子機器の前面から行える様にし、作業性の向上を図ると共に設置スペースを節約できる電子機器の提供。【解決手段】電子機器収納架２の内部に中間パネル３６を設け、該中間パネル３６の前部に機能ユニット収納空間３７を形成し、前記中間パネル３６の後部に冷却ユニット収納空間３８を形成し、前記中間パネル３６の前方から前記冷却ユニット収納空間３８に挿入した冷却ユニット２６を前記中間パネル３６に固定し、前記電子機器収納架２の前方から前記機能ユニット収納空間３７に機能ユニット１６を挿入し、実装する。【選択図】図２
2007141915.tif 000002
【特許請求の範囲】
【請求項１】
電子機器収納架の内部に中間パネルを設け、該中間パネルの前部に機能ユニット収納空間を形成し、前記中間パネルの後部に冷却ユニット収納空間を形成し、前記中間パネルの前方から前記冷却ユニット収納空間に挿入した冷却ユニットを前記中間パネルに固定し、前記電子機器収納架の前方から前記機能ユニット収納空間に機能ユニットを挿入し、実装することを特徴とする電子機器。
【発明の詳細な説明】
【技術分野】
【０００１】
本発明は電子機器、特に無線中継基地等に設置される設置型電子機器の収納架の構造に関するものである。
【背景技術】
【０００２】
無線中継基地等に設置される大型の電子機器では、枠体構造のフレームに電子機器収納架が取付けられ、更に該電子機器収納架には増幅ユニット、電源ユニット、冷却ユニット等の機能ユニットが実装される構造となっており、電子機器収納架にユニットが実装されることで、増幅等所要の機能を有する装置が構成される。
【０００３】
図７は、従来の電子機器の増幅装置１を示している。
【０００４】
電子機器収納架２はサイドパネル３，３、上下パネル（図示せず）、内部上パネル４、内部下パネル５、後面パネル６により、前面が開放された箱形状に構成されている。
【０００５】
前記サイドパネル３の前端部にはフランジ部７が形成され、該フランジ部７はボルトによりフレーム（図示せず）に固定される様になっている。前記内部下パネル５の後部に段差部８が形成され、該段差部８の正面板には所要数のコネクタ９、及び該コネクタ９に対して各一対のガイドピン１１が突設されている。
【０００６】
前記内部上パネル４、前記内部下パネル５にはそれぞれ前後方向に長い長孔１２が前記電子機器収納架２の内部に向って抜き成形され、前記長孔１２の周辺部には、垂直な縁部が形成される。隣接する長孔１２の該縁部間は、後述するガイドのガイド溝１３となっている。
【０００７】
前記後面パネル６の上部にはコネクタ取付けパネル１４が設けられ、該コネクタ取付けパネル１４にはコネクタ１５が所要数、例えば２個取付けられている。
【０００８】
前記電子機器収納架２の前面からは機能ユニット、例えば増幅ユニット１６が挿入され、実装される様になっており、該増幅ユニット１６の上面、下面にはそれぞれ前記ガイド溝１３にスライド可能なガイド１７が設けられ、前記増幅ユニット１６の後面には、前記コネクタ９と嵌合する増幅ユニット用コネクタ１８が設けられ、該増幅ユニット用コネクタ１８の左右には前記ガイドピン１１と嵌合する位置決め孔（図示せず）が設けられている。前記増幅ユニット１６の正面パネル１９はローレット螺子２１等の螺子により前記内部上パネル４、前記内部下パネル５の前端部に固定される。又、前記正面パネル１９には取手２２が取付けられると共に空気取込み口２３が穿設され、前記増幅ユニット１６の後面パネルには空気排出口２４が穿設されている。
【０００９】
前記後面パネル６には冷却ユニット取付け孔２５が穿設され、前記後面パネル６には後方から冷却ユニット２６が挿入、取付けられる。該冷却ユニット２６は冷却ファン２７、前記コネクタ１５に嵌合するコネクタ２８を有し、前記冷却ユニット２６を前記後面パネル６に取付けることで、前記コネクタ２８が前記コネクタ１５に嵌合して前記冷却ファン２７に電力の供給が可能となっている。尚、前記冷却ユニット２６の後面には、取手２９が取付けられ、前記冷却ユニット２６の前記後面パネル６への固定は、ローレット螺子３１等によって行われる。
【００１０】
前記増幅装置１の組立は、前記冷却ユニット２６を前記電子機器収納架２の後方から前記後面パネル６に取付け、更に前記正面パネル１９を前記電子機器収納架２の前方から挿入する。前記増幅ユニット１６は前記ガイド１７が前記ガイド溝１３にガイドされて挿入され、又前記ガイドピン１１と前記位置決め孔との嵌合で位置決めされ、前記増幅ユニット用コネクタ１８が前記コネクタ９と嵌合することで前記増幅ユニット１６が前記電子機器収納架２と電気的に接続され、前記ローレット螺子２１を螺着することで、前記増幅ユニット１６が前記電子機器収納架２に実装される。
【００１１】
前記電子機器収納架２の稼働時には、前記冷却ユニット２６の駆動により、前記空気取込み口２３から空気が吸引され、前記空気排出口２４から前記増幅ユニット１６内部の昇温した空気が流出し、更に前記冷却ファン２７から吐出される。前記電子機器収納架２、前記増幅ユニット１６の内部の空気は前方から後方への直線的な流れとなり、抵抗が少なく、効果的に冷却される。
【００１２】
上記した様に、冷却空気は前記増幅ユニット１６内部を直線的に流れるのが、流通抵抗が少なく、効果的な冷却が得られる。その為、前記冷却ユニット２６は前記増幅ユニット１６の後側に配置される。
【００１３】
ところが、前記増幅ユニット１６は前方から、前記冷却ユニット２６は後方から取付けられる為、作業性が悪い。更に、電子機器の組立、保守を行うには、電子機器の前方、後方のそれぞれに作業スペースが必要となる。一方で、電子機器の設置スペースを狭くしたいという要望があり、又設置場所の多様化により電子機器の周囲に作業スペースを確保することが困難となっている。
【００１４】
【特許文献１】特開２００１−１８５８８３号公報
【発明の開示】
【発明が解決しようとする課題】
【００１５】
本発明は斯かる実情に鑑み、電子機器の組立、保守の為のユニット着脱を電子機器の前面から行える様にし、作業性の向上を図ると共に設置スペースの狭小化を図るものである。
【課題を解決するための手段】
【００１６】
本発明は、電子機器収納架の内部に中間パネルを設け、該中間パネルの前部に機能ユニット収納空間を形成し、前記中間パネルの後部に冷却ユニット収納空間を形成し、前記中間パネルの前方から前記冷却ユニット収納空間に挿入した冷却ユニットを前記中間パネルに固定し、前記電子機器収納架の前方から前記機能ユニット収納空間に機能ユニットを挿入し、実装する電子機器に係るものである。
【発明の効果】
【００１７】
本発明によれば、電子機器収納架の内部に中間パネルを設け、該中間パネルの前部に機能ユニット収納空間を形成し、前記中間パネルの後部に冷却ユニット収納空間を形成し、前記中間パネルの前方から前記冷却ユニット収納空間に挿入した冷却ユニットを前記中間パネルに固定し、前記電子機器収納架の前方から前記機能ユニット収納空間に機能ユニットを挿入し、実装するので、電子機器収納架の各ユニットの組立、取外しは、前記電子機器収納架の前面から行え作業性が向上すると共に、作業スペースは増幅装置の前面に確保されていればよく、電子機器に設置する為に必要なスペースを節約できる等の優れた効果を発揮する。
【発明を実施するための最良の形態】
【００１８】
以下、図面を参照しつつ本発明を実施する為の最良の形態を説明する。
【００１９】
図１〜図６は、本発明に係る電子機器の、例えば増幅装置１を示し、図中、図７中に示したものと同等のものには同符号を付してある。
【００２０】
図１は増幅装置１の外観を示しており、電子機器収納架２の前面から４台の増幅ユニット１６が実装され、内部には冷却ユニット２６が実装されている（図２参照）。
【００２１】
サイドパネル３，３及び上パネル３３、下パネル３４、後面パネル６により箱筐体３５が構成され、該箱筐体３５の内部に内部上パネル４、内部下パネル５が設けられ、該内部下パネル５の後部には段差部８が形成されている。該段差部８と前記内部上パネル４間に掛渡って中間パネル３６が設けられ、該中間パネル３６により前部が機能ユニット収納空間３７に、又後部が冷却ユニット収納空間３８に、それぞれ仕切られる。前記内部上パネル４の後端にはコネクタ取付けパネル１４が固着され、該コネクタ取付けパネル１４は前記サイドパネル３，３間に掛渡り、又前記上パネル３３より垂下し、前記コネクタ取付けパネル１４にコネクタ１５が取付けられる。
【００２２】
前記段差部８の正面板にはコネクタ９が設けられ、該コネクタ９にはそれぞれ左右一対のガイドピン１１が設けられる。
【００２３】
前記冷却ユニット２６は冷却ファン２７を上下に収納し、前記冷却ユニット２６の前面パネル３９には２つの取手２９が対角の位置に取付けられ、該取手２９の近傍がローレット螺子（又は抜け止ローレット螺子）３１により前記中間パネル３６に固定される様になっている。
【００２４】
前記中間パネル３６には前記冷却ユニット２６を挿入可能な欠切部４１が前記冷却ユニット２６の数（図示では２個）だけ形成され、前記冷却ユニット２６を前記欠切部４１に挿入し、前記中間パネル３６に前記正面パネル３９が当接した状態で、前記コネクタ１５とコネクタ２８とが嵌合する様に位置関係が設定されている。又、前記冷却ユニット２６を前記欠切部４１から前記冷却ユニット収納空間３８に挿入し、前記前面パネル３９を前記ローレット螺子３１で固定した状態、即ち前記冷却ユニット２６を実装した状態では、前記前面パネル３９は前記段差部８の前板より後退している。又、前面パネル３９の高さ寸法は、前記機能ユニット収納空間３７の高さ寸法よりも小さくなっている。
【００２５】
前記後面パネル６には吐出風口４２が実装される前記冷却ファン２７の数だけ穿設され、前記吐出風口４２の中心位置は、前記冷却ユニット２６が実装された状態で、前記冷却ファン２７の中心に合致している。
【００２６】
前記増幅ユニット１６の構造、該増幅ユニット１６を前記機能ユニット収納空間３７に挿入して、前記増幅ユニット用コネクタ１８を前記コネクタ９に嵌合させる構造、前記正面パネル１９をローレット螺子（又は抜け止ローレット螺子）２１で固定する構造については、図７で示した増幅装置１と同様であるので以下説明を省略する。
【００２７】
以下、本実施の形態に於ける組立て手順について説明する。
【００２８】
図３、図４に於いて、先ず前記冷却ユニット２６を前記電子機器収納架２の前面から前記機能ユニット収納空間３７に挿入し、更に該機能ユニット収納空間３７から前記欠切部４１を通して前記冷却ユニット収納空間３８に挿入する。前記コネクタ２８を前記コネクタ１５に嵌合させる。該コネクタ１５と前記コネクタ２８が完全に嵌合した状態で、前記前面パネル３９が前記中間パネル３６に当接し、前記ローレット螺子３１により前記前面パネル３９を前記中間パネル３６に固定する。前記冷却ユニット２６の実装が完了する（図５、図６）。
【００２９】
次に、前記ガイド１７を前記ガイド溝１３にスライドさせ、前記増幅ユニット１６を前記機能ユニット収納空間３７に挿入する。前記正面パネル１９が前記電子機器収納架２の前面に当接した状態で、前記増幅ユニット用コネクタ１８が前記コネクタ９に嵌合する。前記ローレット螺子２１により前記正面パネル１９を前記電子機器収納架２前面に固定して、前記増幅ユニット１６が実装される。
【００３０】
前記増幅ユニット１６の後面と前記前面パネル３９との間には、前記取手２９が収納される空間が形成され、前記増幅ユニット１６を実装した場合に、前記増幅ユニット１６と前記取手２９とが干渉しない様になっている。
【００３１】
前記増幅ユニット１６、前記冷却ユニット２６を保守、点検する場合には、上記した組立て手順と逆の手順に行い、前記増幅装置１の前面から前記増幅ユニット１６を取外し、更に前記冷却ユニット２６を取外す。
【００３２】
而して、本発明では、前記増幅装置１の各ユニットの組立、取外しは、前記増幅装置１の前面から行え作業性が向上すると共に、作業スペースは前記増幅装置１の前面に確保されていればよく、電子機器を設置する為に必要なスペースを節約できる。
【図面の簡単な説明】
【００３３】
【図１】本発明の実施の形態を示す斜視図である。
【図２】本発明の実施の形態を示す側断面図である。
【図３】本発明の実施の形態を示す分解斜視図である。
【図４】本発明の実施の形態を示す分解側断面図である。
【図５】本発明の実施の形態に於いて、冷却ユニットを組立てた状態での分解斜視図である。
【図６】本発明の実施の形態に於いて、冷却ユニットを組立てた状態での側断面図である。
【図７】従来例の分解斜視図である。
【符号の説明】
【００３４】
１              増幅装置
２              電子機器収納架
３              サイドパネル
４              内部上パネル
５              内部下パネル
６              後面パネル
８              段差部
１４            コネクタ取付けパネル
１６            増幅ユニット
２６            冷却ユニット
３６            中間パネル
３７            機能ユニット収納空間
３８            冷却ユニット収納空間
４１            欠切部
４２            吐出風口
【図１】
2007141915.tif 000003
【図２】
2007141915.tif 000004
【図３】
2007141915.tif 000005
【図４】
2007141915.tif 000006
【図５】
2007141915.tif 000007
【図６】
2007141915.tif 000008
【図７】
2007141915.tif 000009